(57)【要約】【課題】複数の建物の統一感を保つように建物の設計を支援する設計支援装置、設計支援プログラム、及び統一感が保たれた建物集合体を提供する。【解決手段】複数の建物の設計において、前記複数の建物に特定の要素が共通して含まれるように前記特定の要素を有する部材を示す部材情報を提供する提供手段と、前記特定の要素が他の特定の要素に変更された場合に、前記複数の建物における前記部材情報を前記他の特定の要素を有する部材を示す部材情報に変更する変更手段と、を有する。【選択図】図８
2010282477.tif 000002
【特許請求の範囲】
【請求項１】
複数の建物の設計において、前記複数の建物に特定の要素が共通して含まれるように前記特定の要素を有する部材を示す部材情報を提供する提供手段と、
前記特定の要素が他の特定の要素に変更された場合に、前記複数の建物における前記部材情報を前記他の特定の要素を有する部材を示す部材情報に変更する変更手段と、
を有する設計支援装置。
【請求項２】
前記部材は、前記建物の外観を構成する外観部材及び前記建物の内装を構成する内装部材の少なくとも外観部材である請求項１に記載の設計支援装置。
【請求項３】
前記変更手段により前記他の特定の要素に変更する際に、変更される部材情報を一括して明示する明示手段を更に有する請求項１又は請求項２に記載の設計支援装置。
【請求項４】
前記複数の建物は、分譲地内に建設される建物である請求項１〜請求項３のいずれか１項に記載の設計支援装置。
【請求項５】
前記複数の建物は、隣り合う建物である請求項１〜請求項４のいずれか１項に記載の設計支援装置。
【請求項６】
請求項１〜請求項５のいずれか１項に記載の設計支援装置により設計された建物集合体。
【請求項７】
コンピュータを、
複数の建物の設計において、前記複数の建物に特定の要素が共通して含まれるように前記特定の要素を有する部材を示す部材情報を提供する提供手段と、
前記特定の要素が他の特定の要素に変更された場合に、前記複数の建物における前記部材情報を前記他の特定の要素を有する部材を示す部材情報に変更する変更手段と、
して機能させるための設計支援プログラム。
【発明の詳細な説明】
【技術分野】
【０００１】
本発明は、設計支援装置、設計支援プログラム、及び建物集合体に係り、特に複数の建物の設計を支援する設計支援装置、設計支援プログラム、及び建物集合体に関する。
【背景技術】
【０００２】
建築ＣＡＤ（Computer Aided Design）では、建物の設計をするにあたり、１つの敷地に建築される１つの建物を設計し、データの作成と管理を実施している。
【０００３】
この建築ＣＡＤは、建物の平面図から見積もりを作成するものであり、建物を構成する部品や商品シリーズ単位で構成する部材など、全商品の全部品データベース（部品データと形状データ）より商品単位でデータを呼び出し入力画面のメニューにより入力する部品を選択して建物の平面図を作成するプログラムを有し、平面図作成において配置した部品の数量を算出し見積もりシステムを更に有する。
【０００４】
また、建築ＣＡＤの全部材データベースは、商品シリーズや部材の属性で全商品のデータと部材を表現する形状データを更に有する。更に建築ＣＡＤは、データ（部品データや形状データ）のバージョンを、商品の改廃（商品シリーズの追加や廃止）、部材の属性の変更（部材構成や配置情報、高さ情報など）、部材の改廃（部材の追加や廃止）などにより、建築ＣＡＤとしてバージョンアップを実施することで、全部品データベース毎のバージョンを建築ＣＡＤ内で管理している。
【０００５】
更に、建築ＣＡＤは、見積書を作成するための部材の単価マスター（部材単価データベース）を有し、この建築ＣＡＤで配置された部材データより物件データと単価マスターを参照して見積書を作成している。
【０００６】
そして、建築ＣＡＤは、入力された建物情報（間取り、設備）より建物の３Ｄデータを内部で作成し、作成された３Ｄデータより平面図や立面図、屋根伏せ図、基礎図、展開図、断面図を作成して図面として出力する機能と入力された建物情報を部品一覧としての仕様装備表を作成する機能とを有する。
【０００７】
一方、分譲地の設計に関し、建築ＣＡＤでは、建物の設計をするにあたり、１つの建物と１つの敷地に建物を配置し、敷地に対して外構部材（植栽や門扉、ガレージ等）の部材設計をするにとどまっている。すなわち、従来の建築ＣＡＤは１物件だけ設計対象としている。従って、複数の分譲地の住宅を設計する場合、建築ＣＡＤで作成された１物件単位のデータを合成して分譲地の図面を作成している。
【０００８】
特許文献１には、土地を分譲して住宅と共に販売をするとき、すでに完了している敷地調査の結果を利用して、数人のコンセプトの異なる設計者Ａ，Ｂ，Ｃにより、それぞれ別々の独自の住宅設計を予めさせておく。顧客は設計済みのプランの中から好みのものを選択する技術が開示されている。
【先行技術文献】
【特許文献】
【０００９】
【特許文献１】特開２００２−２５１５４９号公報
【発明の概要】
【発明が解決しようとする課題】
【００１０】
上述した従来の建築ＣＡＤでは、分譲地を設計するにあたり、敷地を含む各建物単位で作成したデータを複数の分譲地で合成できない。従って、複数の分譲地全体の配置計画や建物の設計変更に伴う修正もできない。
【００１１】
また、複数の分譲地全体の図面を作成する場合は、建築ＣＡＤで敷地を含む各建物単位で作成された図面データを利用して、他のＣＡＤシステム等を利用して再度図面等を作成しなければならい。
【００１２】
更に、複数の建物を設計する場合に、建物の統一感を保つことが困難であるという問題点があった。
【００１３】
本発明は上記問題点を解消するためになされたもので、複数の建物の統一感を保つように建物の設計を支援する設計支援装置、設計支援プログラム、及び統一感が保たれた建物集合体を提供することを目的とする。
【課題を解決するための手段】
【００１４】
上記課題を解決するために、請求項１の発明は、複数の建物の設計において、前記複数の建物に特定の要素が共通して含まれるように前記特定の要素を有する部材を示す部材情報を提供する提供手段と、前記特定の要素が他の特定の要素に変更された場合に、前記複数の建物における前記部材情報を前記他の特定の要素を有する部材を示す部材情報に変更する変更手段と、を有する。
【００１５】
請求項１の発明によれば、複数の建物の設計において、前記複数の建物に特定の要素が共通して含まれるように前記特定の要素を有する部材を示す部材情報を提供し、前記特定の要素が他の特定の要素に変更された場合に、前記複数の建物における前記部材情報を前記他の特定の要素を有する部材を示す部材情報に変更するので、複数の建物の統一感を保つように建物の設計を支援する設計支援装置を提供することができる。
【００１６】
請求項２の発明は、請求項１の発明において、前記部材は、前記建物の外観を構成する外観部材及び前記建物の内装を構成する内装部材の少なくとも外観部材であるようにしても良い。
【００１７】
請求項２の発明によれば、少なくとも外観の統一感を保つことができる。
【００１８】
請求項３の発明は、請求項１又は請求項２の発明において、前記変更手段により前記他の特定の要素に変更する際に、変更される部材情報を一括して明示する明示手段を更に有するようにしても良い。
【００１９】
請求項３の発明によれば、操作者が変更される部材情報を容易に確認することができる。
【００２０】
請求項４の発明は、請求項１〜請求項３のいずれか１項の発明において、前記複数の建物は、分譲地内に建設される建物であるようにしても良い。
【００２１】
請求項４の発明によれば、少なくとも分譲地内の建物の統一感を保つことができる。
【００２２】
請求項５の発明は、請求項１〜請求項４のいずれか１項の発明において、前記複数の建物は、隣り合う建物であるようにしても良い。
【００２３】
請求項５の発明によれば、少なくとも隣り合う建物の統一感を保つことができる。
【００２４】
請求項６の発明は、請求項１〜請求項５のいずれか１項に記載の設計支援装置により設計された建物集合体である。
【００２５】
請求項６の発明によれば、統一感が保たれた建物集合体を提供することができる。
【００２６】
請求項７の発明は、コンピュータを、複数の建物の設計において、前記複数の建物に特定の要素が共通して含まれるように前記特定の要素を有する部材を示す部材情報を提供する提供手段と、前記特定の要素が他の特定の要素に変更された場合に、前記複数の建物における前記部材情報を前記他の特定の要素を有する部材を示す部材情報に変更する変更手段と、して機能させるための設計支援プログラムである。
【００２７】
請求項７の発明によれば、複数の建物の設計において、前記複数の建物に特定の要素が共通して含まれるように前記特定の要素を有する部材を示す部材情報を提供し、前記特定の要素が他の特定の要素に変更された場合に、前記複数の建物における前記部材情報を前記他の特定の要素を有する部材を示す部材情報に変更するので、複数の建物の統一感を保つように建物の設計を支援する設計支援プログラムを提供することができる。
【発明の効果】
【００２８】
本発明によれば、複数の建物の統一感を保つように建物の設計を支援する設計支援装置、設計支援プログラム、及び統一感が保たれた建物集合体を提供することができるという効果が得られる。
【図面の簡単な説明】
【００２９】
【図１】実施の形態に係る設計支援装置の構成を示す図である。
【図２】要素データベースのデータ構造を示す図である。
【図３】建物集合体の一例を示す図である。
【図４】分譲地の一例を示す図である。
【図５】間取り図の一例を示す図である。
【図６】分譲地総合情報のデータ構造を示す図である。
【図７】設計支援プログラムのソフトウェア構成を示す図である。
【図８】設計支援処理の流れを示すフローチャートである。
【図９】処理（その１）の場合における操作者の操作の流れを示す図である。
【図１０】処理（その１）の流れを示すフローチャートである。
【図１１】処理（その２）の場合における操作者の操作の流れを示す図である。
【図１２】処理（その２）の流れを示すフローチャートである。
【図１３】処理（その３）の場合における操作者の操作の流れを示す図である。
【図１４】処理（その３）の流れを示すフローチャートである。
【図１５】２つの間取りの表示例を示す図である。
【図１６】処理（その４）の流れを示すフローチャートである。
【図１７】デュアルモニタの場合の表示例を示す図である。
【発明を実施するための形態】
【００３０】
以下、図面を参照して、本発明の実施の形態について詳細に説明する。
【００３１】
まず、図１を用いて本実施の形態に係る設計支援装置１０の構成について説明する。
【００３２】
設計支援装置１０は、ＣＰＵ（Central Processing Unit）１２と、ＨＤＤ（Hard Disk Drive）１４と、ＲＡＭ（Random Access Memory）１６と、ネットワークＩ／Ｆ部１８と、ＲＯＭ（Read Only Memory）２０と、表示部２２と、操作入力部２４と、バス２６とを含む。
【００３３】
ＣＰＵ１２は、設計支援装置１０の全体の動作を司るものであり、後述する設計支援装置１０の処理を示すフローチャートは、ＣＰＵ１２により実行される。ＨＤＤ１４は、後述する分譲地総合情報、設計支援プログラムなどの各プログラム、ＯＳ（Operating System）などが記録される不揮発性の記憶装置である。ＲＡＭ１６は、ＯＳやプログラムやデータが展開される揮発性の記憶装置である。ネットワークＩ／Ｆ部１８は、ネットワークに接続するためのものであり、ＮＩＣ（Network Interface Card）やそのドライバで構成される。ＲＯＭ２０は、設計支援装置１０の起動時に動作するブートプログラムなどが記憶されている不揮発性の記憶装置である。表示部２２は、設計支援装置１０に関する情報を操作者に表示するものである。操作入力部２４は、オペレータが設計支援装置１０の操作や情報を入力する際に用いられるものである。バス２６は、情報のやりとりが行われる際に使用される。
【００３４】
次に、図２を用いて特定の要素（以下、特定要素と記す）を有する部材を示す部材情報を有する要素データベース（以下、要素ＤＢと記す）について説明する。図２では、例として、部材を屋根としており、その形状を特定要素とした場合の部材情報を示しており、本実施の形態においてこの要素ＤＢはＨＤＤ１４に記録されている。
【００３５】
屋根部材として、同図に示されるように屋根部材ａ、ｂ、ｃ、ｄが例示されており、各々要素Ａ、要素Ｂに分類されている。この要素Ａ、Ｂは、屋根形状により屋根部材を分類し、形状が似たもの同士が同じ要素に属するようになっている。従って、屋根部材ａ、ｂは形状が似たものであり、同様に屋根部材ｃ、ｄも形状が似たものとなっている。形状が似たものの例として、例えば要素Ａは陸屋根形状の屋根部材、要素Ｂは切妻形状の屋根部材が挙げられる。
【００３６】
図２では屋根部材における特定要素の部材情報を示したが、屋根部材に限らず、外構部材、内装に係る部材等、種々の部材における特定要素の部材情報をＨＤＤ１４に記録しておくようにしても良い。
【００３７】
複数の建物に特定要素が共通して含まれると、統一感が出ることで見た目が良くなる。特定要素を含むことで統一感がある街並の例を、図３に示す。この図３に示した街並は、設計支援装置１０により設計された建物集合体の例でもある。同図に示されるように、建物集合体５０の各々の建物における屋根形状に統一感が出ており、各々の建物の色は、２階部分５２の色（寒色系の色）と１階部分５４との色（暖色系の色）が異なるツートンカラーとなっているため、より統一感が出ている。
【００３８】
図３では、外観に関して特定要素が含まれる場合を例にしているが、他の部材にも特定要素が共通して含まれるようにしても良い。例えば、図４に示されるような分譲地５５に建設される建物を、図５の間取り図に示されるようにすることで、統一感を出すことができる。具体的には、各々の建物には２台分の駐車場５６が設けられ、そしてそれら駐車場５６は建物から見て右側に設けられ、更に敷地内の道路５８に面する箇所には樹６０が設けられている。
【００３９】
このように、複数の建物に特定要素が共通して含まれると、統一感を出すことができる。また、外観に関する部材としては、屋根の勾配、間取り、サッシ、門扉、外構部材、外壁、ガレージが例として挙げられる。内装に関する部材としては、キッチン、間取り、サッシが例として挙げられる。
【００４０】
次に、図６を用いて、分譲地総合情報のデータ構造について説明する。同図に示される分譲地総合情報は、４つの敷地を持つ分譲地を例にしたものである。同図に示されるように、分譲地総合情報は、分譲地情報、敷地情報、建物情報、及び外構部材情報が含まれる。
【００４１】
この分譲地総合情報は、同図に示されるように、敷地情報が分譲地情報の次のレコードとして記録されるため、敷地情報は分譲地情報が示す分譲地における敷地を示す情報として該分譲地情報と関連づけられている。建物情報は、敷地情報の次のレコードとして記録されるため、建物情報は敷地情報が示す複数の分譲地のいずれかに建設される建物を示す建物情報として該敷地情報と関連づけられている。更に外構部材情報は、敷地情報の次のレコードとして記録されるため、外構部材情報は敷地情報が示す複数の分譲地のいずれかに設けられる外構部材を示す外構部材情報として敷地情報と関連づけられている。
【００４２】
また、分譲地情報は、分譲地全体を示す情報であり、敷地情報は、分譲地における敷地の位置を示す情報であり、建物情報は、間取りや建具等を示す情報であり、外構部材情報は、敷地に設けられる外構部材と、敷地における外構部材が設けられる位置を示す情報であり、いずれの情報も従来より用いられている建築ＣＡＤで使用されている情報である。
【００４３】
次に、図７を用いて、設計支援プログラムのソフトウェア構成について説明する。同図に示されるように、設計支援プログラムは、分譲地情報取得部３０、敷地情報取得部３２、建物情報取得部３４、入力部３６、外構部材情報取得部３８、修正部４０、記録制御部４２、表示制御部４４、及び提供部４６で構成される。
【００４４】
このうち、分譲地情報取得部３０は、分譲地を示す分譲地情報を取得する。敷地情報取得部３２は、分譲地情報取得部３０により取得された分譲地情報が示す分譲地に含まれる複数の敷地を示す敷地情報を取得する。建物情報取得部３４は、敷地情報取得部３２により取得された敷地情報が示す敷地に建設する建物の間取りを示す建物情報を取得する。外構部材情報取得部３８は、敷地に設けられる外構部材を示す外構部材情報を取得する。
【００４５】
更に、入力部３６は、操作者により、分譲地総合情報を敷地毎に修正するための修正指示情報を入力するための手段であり、具体的には操作入力部２４から入力された情報を処理するものである。なお、操作者からの入力される情報は修正指示情報に限らず、分譲地情報、敷地情報、建物情報、及び外構部材情報もあり得る。この場合、各情報は入力部３６を介して、分譲地情報取得部３０、敷地情報取得部３２、建物情報取得部３４、及び外構部材情報取得部３８が各々取得する。また、本実施の形態における修正は、最初の設計を含むものとする。すなわち、建物や敷地に関する操作を修正と表現する。従って、後述する修正指示情報も建物や敷地に関する操作を指示する情報である。
【００４６】
修正部４０は、入力部３６により入力された修正指示情報に応じて、分譲地総合情報を修正する。この修正部４０の処理は、従来のＣＡＤにより行なわれている処理である。更に、修正部４０は、特定要素が他の特定要素に変更された場合に、複数の建物における部材情報を他の特定要素を有する部材を示す部材情報に変更する。
【００４７】
記録制御部４２は、敷地情報を分譲地情報が示す分譲地における敷地を示す情報として分譲地情報と関連づけ、建物情報を敷地情報が示す複数の分譲地のいずれかに建設される建物を示す建物情報として敷地情報と関連づけ、更に外構部材情報を敷地情報が示す複数の分譲地のいずれかに設けられる外構部材を示す外構部材情報として敷地情報と関連づけて、分譲地情報、敷地情報、建物情報、及び外構部材情報を含む分譲地総合情報としてＨＤＤ１４に記録するように制御する。
【００４８】
表示制御部４４は建物情報が示す複数の間取りを前記表示部２２に表示させるように制御する。なお、表示制御部４４が表示させるように制御する対象は、建物の間取りの他に、敷地情報が示す敷地等を表示させるように制御することもできる。
【００４９】
提供部４６は、複数の建物に特定の要素が共通して含まれるように特定要素を有する部材を示す部材情報を、図２で示した要素ＤＢを用いて提供する。
【００５０】
以上説明した構成により行なわれる処理についてフローチャート等を用いて説明する。なお、以下の説明におけるフローチャートの各処理は、上述したＣＰＵ１２により実行される。まず、複数の建物の設計において、複数の建物に特定要素が共通して含まれるように特定要素を有する部材を示す部材情報を提供し、特定要素が他の特定要素に変更された場合に、複数の建物における部材情報を他の特定要素を有する部材を示す部材情報に変更する設計支援処理について説明する。
【００５１】
最初のステップ１０１で、操作者による特定要素の設定が行なわれる。例えば、屋根形状の特定要素は要素Ａとする、などの設定である。この特定要素の設定はＨＤＤ１４等の記憶手段に記憶される。
【００５２】
そして、ステップ１０２で、操作者により設計箇所が入力されたか否か判定する。ここでの設計箇所として、例えば屋根、門扉、窓等が挙げられる。ステップ１０２で肯定判定すると、ステップ１０３で、提供部４６により、設計箇所に対し、複数の建物に特定要素が共通して含まれるように特定要素を有する部材を示す部材情報を提供する。この処理はステップ１０１で設定された特定要素に基づき提供部４６が部材情報を提供する。例えば、図２の要素ＤＢにおいて、要素Ａが設定された場合、屋根部材ａ、又は屋根部材ｂが、表示部２２に表示されることにより操作者に提供される。
【００５３】
次のステップ１０４で、他の特定要素に変更されたか否か判定する。これは、例えば操作者が要素Ａから要素Ｂの屋根部材に変更したか否かを判定する処理である。ステップ１０４で否定判定した場合には、ステップ１０７に処理が進み、肯定判定した場合には、ステップ１０５で表示制御部４４により、変更に伴い変更される部材情報を一括して表示部２２で明示する。更にステップ１０６で、修正部４０により、複数の建物における部材情報を他の特定要素を有する部材を示す部材情報に変更する。
【００５４】
次のステップ１０７で操作者により設計が終了することが入力されると処理を終了し、終了することが入力されない場合には再びステップ１０２の処理に戻る。
【００５５】
上述したステップ１０６で変更される部材は、建物の外観を構成する外観部材及び前記建物の内装を構成する内装部材の、少なくとも外観部材であるようにしても良い。更に、複数の建物は、分譲地内に建設される建物であるようにしても良いし、更に限定して、隣り合う建物であるようにしても良い。
【００５６】
以上が設計支援処理であるが、この処理に関連して、分譲地を示す分譲地情報を取得し、取得された分譲地情報が示す分譲地に含まれる複数の敷地を示す敷地情報を取得し、取得された前記敷地情報が示す敷地に建設する建物の間取りを示す建物情報を取得し、敷地に設けられる外構部材を示す外構部材情報を取得する場合の処理（その１）について説明する。
【００５７】
図９は、処理（その１）の場合における操作者の操作の流れを示す図である。まずＴ１０１で、操作者は複数の敷地で構成される分譲地を入力する（分譲地情報の入力）。次のＴ１０２で、操作者は分譲地を敷地単位に分割する（敷地情報の入力）。そしてＴ１０３で、操作者は間取りを入力する（建物情報の入力）。このＴ１０３の操作は、従来のＣＡＤでの操作と同じものである。次のＴ１０４で操作者は外構部材を入力する（外構部材情報の入力）。このＴ１０４の操作も、従来のＣＡＤでの操作と同じものである。これらの操作により、分譲地総合情報が入力されたこととなり、Ｔ１０５に示されるように、分譲地に各敷地に入力された建物や外構部材を表示することができる。
【００５８】
以上説明した操作に対応する処理（その１）を、図１０のフローチャートを用いて説明する。まず、ステップ２０１で、操作者の入力により分譲地情報を取得する。次のステップ２０２で、敷地情報を取得し、ステップ２０３で建物情報を取得し、更にステップ２０４で外構部材情報を取得して、ステップ２０５で、分譲地総合情報としてＨＤＤ１４に記録して処理を終了する。
【００５９】
次に、敷地情報取得部３２、建物情報取得部３４、及び外構部材情報取得部３８は、予め作成された敷地情報、建物情報、及び外構部材情報をそれぞれ取得する場合の処理（その２）について説明する。
【００６０】
図１１は、処理（その２）の場合における操作者の操作の流れを示す図である。まず、Ｔ２０１で、操作者は予め間取りを入力し、Ｔ２０２で、敷地を入力し、Ｔ２０３で外構部材を入力する。このように予め作成された敷地情報、建物情報、及び外構部材情報を敷地情報取得部３２、建物情報取得部３４、及び外構部材情報取得部３８がそれぞれ取得し、分譲地総合情報として記録することで、Ｔ２０４に示されるように、分譲地に各敷地に入力された建物や外構部材を表示することができる。
【００６１】
以上説明した操作に対応する処理（その２）を、図１２のフローチャートを用いて説明する。まず、ステップ３０１で、予め作成された敷地情報、建物情報、外構部材情報を取得し、ステップ３０２で、設計支援装置１０で扱うデータ形式に変換する。これは、ＣＡＤの種類や情報の種類により、データ形式が異なる場合に行なわれる。次のステップ３０３で、分譲地総合情報としてＨＤＤ１４に記録して処理を終了する。
【００６２】
次に、操作者により分譲地総合情報を敷地毎に修正するための修正指示情報が入力され、入力された修正指示情報に応じて、分譲地総合情報を修正する処理（その３）について説明する。
【００６３】
図１３は、処理（その３）の場合における操作者の操作の流れを示す図である。まず、Ｔ３０１で、分譲地総合情報が記録されている状態で、操作者は修正する対象を選択する。間取りを修正する場合には、Ｔ３０２のように間取りを表示して、操作者は修正を行なう。また、敷地を修正する場合には、Ｔ３０３のように敷地を表示して操作者は修正を行なう。外構部材を修正する場合には、Ｔ３０４のように間取りを表示して、操作者は修正を行なう。このように操作者の修正により得られた修正指示情報に応じて、分譲地総合情報を修正する。
【００６４】
以上説明した操作に対応する処理を、図１４のフローチャートを用いて説明する。まず、ステップ４０１で、操作者により修正する対象（ここでは、敷地、間取り、外構部材のいずれか１つ）が選択され、ステップ４０２で、選択が終了するとステップ４０３で選択された対象を表示し、ステップ４０４で上述した設計支援処理を行い処理を終了する。
【００６５】
次に、複数の建物情報が示す複数の間取りを表示部２２に表示させるように制御する処理（その４）について説明する。
【００６６】
図１５は、処理（その４）により表示された２つの間取りの表示例を示す図である。同図には「分譲１」、「分譲２」という間取りが表示されているが、２画面で表示する例として、１／５０と１／１００の平面図、平面図と立面図、平面図と外構部材、平面図と敷地等が挙げられる。
【００６７】
複数画面で表示する処理（その４）の流れを、図１６のフローチャートを用いて説明する。まず、ステップ５０１で、ユーザにより表示する対象（平面図や立面図等）が選択され、ステップ５０２で選択が終了したら、ステップ５０３で選択された全ての対象を表示して処理を終了する。
【００６８】
なお、図１７に示されるように、設計支援装置１０に２つの表示部２２が設けられている（デュアルモニタ）場合は、一方の表示部２２に１画面、他方の表示部２２に１画面を表示するようにしても良い。
【００６９】
上述した実施の形態で示した各種処理プログラムの処理の流れ（図８、図１０、図１２、図１４、図１６参照。）も一例であり、本発明の主旨を逸脱しない範囲内で適宜変更することができることも言うまでもない。
【符号の説明】
【００７０】
１０  設計支援装置
１２  ＣＰＵ
１４  ＨＤＤ
２２  表示部
２４  操作入力部
３０  分譲地情報取得部
３２  敷地情報取得部
３４  建物情報取得部
３６  入力部
３８  外構部材情報取得部
４０  修正部
４２  記録制御部
４４  表示制御部
４６  提供部
５０  建物集合体
【図１】
2010282477.tif 000003
【図２】
2010282477.tif 000004
【図３】
2010282477.tif 000005
【図４】
2010282477.tif 000006
【図５】
2010282477.tif 000007
【図６】
2010282477.tif 000008
【図７】
2010282477.tif 000009
【図８】
2010282477.tif 000010
【図９】
2010282477.tif 000011
【図１０】
2010282477.tif 000012
【図１１】
2010282477.tif 000013
【図１２】
2010282477.tif 000014
【図１３】
2010282477.tif 000015
【図１４】
2010282477.tif 000016
【図１５】
2010282477.tif 000017
【図１６】
2010282477.tif 000018
【図１７】
2010282477.tif 000019